(57)【要約】      （修正有）【課題】本来は別々に携行されていた、洋傘とカメラ用三脚を合体させて、携行に便利なようにしたものである。【解決手段】洋傘の柄部４に三脚収納体５に３本の伸縮脚６の端部を其々可動自在に軸支したものを収納する。三脚使用時は、柄部４から三脚引出柄５ｂを左に回してロックを解除しそのまま止まる位置まで引出し、右に回して三脚収納体５をロックする。各、伸縮脚６を伸ばして開脚し地上に立てる。洋傘の石突部に取付けられた雲台にカメラ取付ネジ１２によりカメラ１４を取付け、調節リング１１により写角を調整し、調節リング１１を締めてカメラを固定する。使用後は、伸縮脚６をたたみ、三脚引出柄５ｂを左に回してロックを解除し、そのまま柄部４の内部に押込み、右に回してロックして三脚を収納し、雲台には雲台保護キャップを被せて、通常の洋傘として使用できるようにする。【選択図】図１
0003138812.tif 000002
【実用新案登録請求の範囲】
【請求項１】
洋傘の柄部の内部を空洞にしたものを上下二つに分割し、その上部分を洋傘の中軸下端に固着し、下部分を三脚収納体とし、その周縁部を３等分して設けた軸受に、伸縮脚の端部を其々可動自在に軸支する。以上のように構成された三脚収納体を、中軸に沿って自在に摺動できるように中軸に挿入して、柄の部分に三脚収納体を収納し、三脚使用時には柄の部分から三脚収納体を引き出して、各、伸縮脚を伸ばして開脚して使用できるように構成した特徴をもつ、カメラ用三脚及び雲台を内臓した洋傘。
【請求項２】
三脚収納体に上下に鉤形の形状を有するコの字形の長穴をロックピンガイド穴とし、中軸下端に固着して設けられたロックピンをロックピンガイド穴に摺動自在に嵌め込み、三脚収納時には、三脚収納体を柄部に押込み、右に回してロックピンガイド穴下端の鉤形にロックピンを引掛けて、三脚収納状態を保持する。三脚使用時は、三脚収納体を左に回してロックを解除し、そのまま引出し、ロックピンガイド穴上端の鉤形にロックピンが納まる位置まで引出し、三脚収納体を右に回してロックし、三脚の開脚状態を保持する。以上のように構成された、請求項１に記載の、カメラ用三脚及び雲台を内臓した洋傘。
【請求項３】
三脚収納体に設けられた軸受に伸縮脚の端部を軸支する際に、常に伸縮脚が開脚方向に付勢されるようにした開脚バネを介して軸支する。三脚使用時には、各、伸縮脚の軸支点と、伸縮脚が接触する柄部の下縁部にて開脚角度が決定されるように構成された、請求項１及び請求項２に記載の、カメラ用三脚及び雲台を内臓した洋傘。
【請求項４】
洋傘の石突部に雲台取付本体を螺着し、カメラ取付ネジ、取付つまみ及び調節球を一体としたものの、取付つまみと調節球の間に自在に回動できるようにした、調節リングを挟み、雲台取付本体のネジ部に捻じ込まれた調節リングを締めたり緩めたりすることにより、雲台に取付けられたカメラの写角を調整できるように構成された、カメラ用三脚及び雲台を内臓した洋傘。
【考案の詳細な説明】
【技術分野】
【０００１】  本考案は、カメラ用三脚及び雲台を合体させた洋傘に関するものである。
【背景技術】
【０００２】  従来は、洋傘とカメラ用三脚は使用目的が異なるため別々に携行されていた。
【考案の開示】
【考案が解決しようとする課題】
【０００３】  最近のカメラは、デジタルカメラのように小型、軽量化されているため、比較的に使用機会の少ない三脚も、大型の物は常時携行するには抵抗感がある。そこで、常時携行するのに抵抗感のない洋傘の構造を利用して、カメラ用三脚と雲台を洋傘に組み込んで前述の問題を解決しようとするものである。
【課題を解決するための手段】
【０００４】  本考案は、洋傘の柄部の内部を空洞にしたものを上下二つに分割し、その上部分を洋傘の中軸下端に固着し、下部分を三脚収納体とし、その周縁部を３等分して設けた軸受に、３本の伸縮脚の端部を、可動自在に軸支する。以上のように構成された三脚収納体を中軸に沿って自在に摺動できるように中軸の下端に挿入して柄の部分に三脚収納体を収納するようにし、三脚使用時には柄の部分から三脚収納体を引出し、開脚して使用する。【０００５】  三脚収納体に、上下を鉤形にしたコの字形の長穴をロックピンガイド穴とし、中軸下端に固着して設けられたロックピンをロックピンガイド穴に摺動自在に嵌め込み、洋傘として使用する場合は、三脚収納体を柄の上部に押し込み、右に回して、ロックピンをロックピンガイド穴下端の鉤形に引掛けてロックし収納状態を保持する。三脚使用時は、三脚収納体を左に回してロックを解除してそのままロックピンガイド穴上端の鉤形にロックピンが納まる位置まで引き出し、右に回して三脚収納体をロックして開脚状態を保持する。【０００６】  三脚収納体に設けられた軸受に伸縮脚の端部を軸支する際に、常に伸縮脚が開脚方向に付勢されるようにした開脚バネを介して軸支する。三脚使用時には、各、伸縮脚の軸支点と、伸縮脚が接触する柄部の下縁部にて開脚角度が決定されるようにする。【０００７】  更に、洋傘の石突部に雲台取付体を螺着し、カメラ取付ネジ、取付つまみ及び調節球を一体としたものの、取付つまみと調節球の間に自在に回動できるようにした、調節リングを挟み、雲台取付本体のネジ部に捻じ込まれた調節リングを締めたり緩めたりすることにより、雲台に取付けられたカメラの写角を調整できるようにする。
【考案の効果】
【０００８】最近の、デジタルカメラのように小型、軽量化されたカメラと一緒に携行する三脚も、大型の物は携行に抵抗感がある。また、既に市販されている小型のミニ三脚、ポケット三脚等は、カメラの設置時の高さや、使用場所が限定される欠点がある。そこで、上述のように、洋傘にカメラ用三脚と雲台を合体させることにより、通常は洋傘として使用するため、常時携行することに抵抗感がなく、三脚として使用する場合は、洋傘の構造を有効に活用しているため、充分なカメラの設置高さが得られ、本格的な三脚撮影が可能である。また、簡単な操作で三脚使用の状態にでき、三脚を収納して洋傘としての外観も従来の洋傘に較べても違和感がない、さらに、洋傘に装着することにより安価に製作できる利点がある。
【考案を実施するための最良の形態】
【０００９】  内臓する伸縮脚は、より多段の伸縮脚にした方が、三脚据付時のカメラの高さと安定が得られる。尚、選択図は、折畳式洋傘に装着した状態を表示しているが、通常の洋傘に装着する場合も全く同様な手段で装着可能である。
【実施例】
【００１０】  以下、添付図面に従って実施例を説明する。図２、図３に示すように、洋傘の中軸２の下端にプラスチックス等の適宜素材を成型した柄部４を固着する。同様素材にて成型された三脚収納体５に３箇所設けられた軸受５ａに伸縮脚６の端部を其々、伸縮脚６が常に開脚方向に付勢されるようにした開脚バネ８と共に脚支持軸７にて可動自在に軸支する。【００１１】  以上のように組立てられた三脚収納体５を図４に示すように、中軸２に沿って自在に摺動出来るように中軸２の下端に挿入し、三脚収納体５に、上下を鉤形にしたコの字形の長穴、ロックピンガイド穴５ｃを穿ち、その穴に、中軸２の下端に固着されたロックピン３を嵌めて組立て、三脚収納体５が中軸２から抜け落ちないようにする。【００１２】  三脚使用の場合は、片手で柄部４を持ち、もう一方の手で三脚引出柄５ｂを掴みそのままロックピン３がロックピンガイド穴５ｃの上部鉤形穴に納まる位置まで引出し、右に回してロックし開脚状態を保持する。伸縮脚６は其々開脚バネ８により既に開脚しているので、各伸縮脚６を伸ばして、撮影場所に立てる。三脚収納の場合は、各伸縮脚６を縮め、片手で柄部４を持ち、もう一方の手で三脚引出柄５ｂを掴み、左に回してロックを解除しそのまま止まる位置まで押込み、右に回してロックして収納状態を保持する。【００１３】  図６に示すように、洋傘の石突ネジ９に雲台取付本体１０を強固に螺着し、カメラ取付ネジ１２、取付つまみ１２ａ及び調節球１２ｂを一体としものの、取付つまみ１２ａと調節球１２ｂの間に自在に回動できるように調節リング１１を入れ、雲台取付本体１０のネジ部に調節リング１１を捻じ込む。【００１４】  雲台の使用手段は、図７に示すように、カメラ１４に取付つまみ１２ａを回して、カメラ取付ネジ１２を捻じ込み、カメラ１４を固定する。撮影写角の調整は、調節リング１１を緩めて調節球１２ｂを可動できるようにし、写角が決定した位置で調節リング１１を締めてカメラ１４を固定する。洋傘として使用する場合は、雲台に雲台保護キャップ１３を被せて雲台を保護する。
【図面の簡単な説明】
【００１５】
【図１】  本考案の実施形態を示す斜視図
【図２】  柄部の正面断面図
【図３】  図２のＡ−Ａ線断面図
【図４】  柄部の左側面図
【図５】  三脚の開脚状態図
【図６】  雲台断面図
【図７】  雲台使用時の状態図
【符号の説明】
【００１６】  １    傘本体          ５ｃ  ロックピンガイド穴    １２    カメラ取付ネジ
２    中軸            ６    伸縮脚                １２ａ  取付つまみ
３    ロックピン      ７    脚支持軸              １２ｂ  調節球
４    柄部            ８    開脚バネ              １３    雲台保護キャップ
５    三脚収納体      ９    石突ネジ              １４    カメラ
５ａ  軸受          １０    雲台取付本体
５ｂ  三脚引出柄    １１    調節リング
【図１】
0003138812.tif 000003
【図２】
0003138812.tif 000004
【図３】
0003138812.tif 000005
【図４】
0003138812.tif 000006
【図５】
0003138812.tif 000007
【図６】
0003138812.tif 000008
【図７】
0003138812.tif 000009
【手続補正書】
【提出日】平成19年10月5日(2007.10.5)
【手続補正１】
【補正対象書類名】実用新案登録請求の範囲
【補正対象項目名】全文
【補正方法】変更
【補正の内容】
【実用新案登録請求の範囲】
【請求項１】
洋傘の柄の上部分を内部を空洞にした柄部と下部分は三脚収納体と三脚引出柄が一体となったものに分割し、その上部分を洋傘の中軸下端に下部分の取付余地を残して固着し、下部分は三脚収納体の上端部に３箇所の軸受を設け、各軸受に伸縮脚の端部を可動自在に其々脚支持軸により軸支したものを中軸の下端に中軸に沿って自在に摺動できるように挿入し、洋傘としての使用時は各伸縮脚を畳み三脚引出柄を上方に押込み上部分の柄部と合致させ一体として洋傘の柄となり、三脚としての使用時は三脚引出柄を持って三脚収納体を引出し各伸縮脚を伸ばし開脚して使用する、以上のようにしたカメラ用三脚及び雲台を内臓した洋傘。
【請求項２】
三脚収納体に中軸方向に沿って上下に鉤形の形状を有するコの字形の長穴を穿ちロックピンガイド穴とし、中軸下端に固着して設けられたロックピンをロックピンガイド穴に摺動自在に嵌め込み、三脚収納時には三脚収納体を柄部に押込み三脚引出柄を右に回してロックピンガイド穴下端の鉤形にロックピンを引掛けて三脚収納状態を保持し、三脚使用時は三脚引出柄を左に回してロックを解除しそのまま三脚収納体を引出しロックピンガイド穴上端の鉤形にロックピンが納まる位置まで引出し三脚引出柄を右に回して三脚の使用状態を保持する、以上のようにした請求項１に記載のカメラ用三脚及び雲台を内臓した洋傘。
【請求項３】
三脚収納体に設けられた軸受に伸縮脚の端部を軸支する際に、伸縮脚が常に開脚方向に付勢されるようにした開脚バネを介して軸支し、三脚使用時には各伸縮脚の軸支点と伸縮脚の一部が接触する柄部の下縁部にて開脚角度が決定されるようにした請求項１及び請求項２に記載のカメラ用三脚及び雲台を内蔵した洋傘。
【請求項４】
洋傘の石突部に雲台取付本体を螺着し、カメラ取付ネジ、取付つまみ及び調節球を一体としたものの取付つまみと調節球の間に自在に回動できるようにした調節リングを挟み、雲台取付本体のネジ部に捻じ込まれた調節リングを締めたり緩めたりすることにより、カメラ取付ネジにより雲台に取付けられたカメラの写角を調整できるようにしたカメラ用三脚及び雲台を内蔵した洋傘。